【手続補正書】
【提出日】平成27年10月19日(2015.10.19)
【手続補正１】
【補正対象書類名】特許請求の範囲
【補正対象項目名】全文
【補正方法】変更
【補正の内容】
【特許請求の範囲】
【請求項１】
連結器において、
開口を形成する第１の端部および第２の端部を含むベースと、
第１の受け入れ部と、
第１のロック部と、
第１のロック機構であって、前記第１の受け入れ部が第１の受け入れ部穴を含み、前記第１のロック部が、前記第１の受け入れ部に機能的に連結されているとともに前記第１の受け入れ部穴と流体連通した第１のロック部穴を含み、前記第１のロック機構は、前記第１のロック部穴内に配置されているとともに係合位置および解放位置を有し、第１の付勢部材が前記第１のロック機構を前記係合位置に付勢しており、前記第１のロック機構は、前記係合位置で前記第１の受け入れ部穴内に少なくとも部分的に延びる第１のフランジ付き部を有し、当該第１のフランジ付き部は、前記第１のロック機構が前記係合位置と解放位置との間を移動するときに、前記第１のロック部穴内を縦方向に移動するように構成かつ配置されている、第１のロック機構と、
前記第２の端部にスライド可能に機能的に連結されたゲートであって、閉じた位置および開いた位置を有し、前記開口にまたがっており、前記ゲートの一部が前記閉じた位置で前記第１の受け入れ部穴を貫通し、前記ゲートは、前記閉じた位置で前記第１の受け入れ部穴に近接する第１の係合部を含み、前記ゲートが前記閉じた位置にあるとともに前記第１のロック機構が前記係合位置にあるときに、前記第１のフランジ付き部が、前記第１の係合部の中に少なくとも部分的に延びて前記ゲートを前記ベースに固定し、前記第１のフランジ付き部は、前記第１のロック機構が前記解放位置にあるときに、前記第１の係合部から外れて前記第１のロック部穴に配置されて、前記ゲートが前記ベースに対して移動するのを可能にする、ゲートと、
を含むことを特徴とする連結器。
【請求項２】
請求項１に記載の連結器において、前記ゲートの一部に沿って長手方向に延びるスロットと、前記ベースの前記第２の端部に機能的に連結されて前記スロット内に延びるピンとをさらに含むことを特徴とする連結器。
【請求項３】
請求項１に記載の連結器において、前記第１のロック機構は、前記第１の付勢部材、係合部材、および留め具を含み、前記留め具は、前記第１の付勢部材および前記係合部材を前記第１のロック部に機能的に連結し、前記第１の付勢部材は、前記係合位置に前記係合部材を付勢し、前記係合部材が前記第１のフランジ付き部を有することを特徴とする連結器。
【請求項４】
請求項１に記載の連結器において、前記ゲートの遠位端に近接したノッチと、前記ノッチおよび前記第１の係合部を相互連結する傾斜部とをさらに含み、前記ノッチおよび前記傾斜部は、前記ゲートが前記開いた位置から前記閉じた位置に移動するときに、シャフトの遠位端がスライドして前記第１のロック機構を通り過ぎる助けとなることを特徴とする連結器。
【請求項５】
請求項１に記載の連結器において、第２の受け入れ部、第２のロック部、および第２のロック機構を含む第２の端部をさらに含み、前記第２の受け入れ部は、第２の受け入れ部穴を含み、前記第２のロック部は、前記第２の受け入れ部に機能的に連結されているとともに前記第２の受け入れ部穴と流体連通した第２のロック部穴を含み、前記第２のロック機構は、前記第２のロック部穴内に配置されているとともに係合位置および解放位置を有し、第２の付勢部材が、前記第２のロック機構を前記係合位置に付勢し、前記第２のロック機構は、前記係合位置で前記第２の受け入れ部穴の中に少なくとも部分的に延びる第２のフランジ付き部を有し、当該第２のフランジ付き部は、前記第２のロック機構が前記係合位置と解放位置との間を移動するときに、前記第２のロック部穴内を縦方向に移動するように構成かつ配置されており、前記ゲートは、前記閉じた位置で前記第２の受け入れ部穴に近接する第２のノッチを含み、前記第２のフランジ付き部は、前記ゲートが前記閉じた位置にあるとともに前記第２のロック機構が前記係合位置にあるときに、前記第２のノッチ内に少なくとも部分的に延びて、前記ゲートを前記ベースに固定し、前記第２のフランジ付き部は、前記第２のロック機構が前記解放位置にあるときに、前記ノッチから外れて前記第２のロック部穴に配置され、前記第１および第２のロック機構は共に、前記ゲートが前記ベースに対して移動するのを可能にするように前記解放位置に配置されることを特徴とする連結器。
【請求項６】
請求項５に記載の連結器において、第１の開孔を有する第１のリング部を含む第１の拡張部と、第２の開孔を有する第２のリング部を含む第２の拡張部とをさらに含み、前記第１および第２の開孔は、前記第１および第２の受け入れ部穴と一列に整列することを特徴とする連結器。
【請求項７】
請求項６に記載の連結器において、第１の開口が、前記第１の拡張部および前記第２の拡張部によって形成され、第２の開口が、前記第１の受け入れ部および前記第１の拡張部によって形成され、第３の開口が、前記第２の拡張部および前記第２の受け入れ部によって形成されることを特徴とする連結器。
【請求項８】
請求項７に記載の連結器において、バー部が、安全ハーネスに機能的に連結されるように構成かつ配置されており、前記ゲートが、前記第１の開口の近くの安全装置に機能的に連結されるように構成かつ配置されていることを特徴とする連結器。
【請求項９】
請求項７に記載の連結器において、バー部が、安全ハーネスに機能的に連結されるように構成かつ配置されており、前記ゲートが、前記第２の開口の近くの第１の安全装置に機能的に連結されるように構成かつ配置されており、前記ゲートが、前記第３の開口の近くの第２の安全装置に機能的に連結されるように構成かつ配置されていることを特徴とする連結器。
【請求項１０】
請求項１に記載の連結器において、前記第１の端部が、前記第１の受け入れ部と、前記第１のロック部と、前記第１のロック機構とを含むことを特徴とする連結器。
【請求項１１】
請求項１に記載の連結器において、前記第１の受け入れ部が、前記ベースに機能的に連結されていることを特徴とする連結器。
【請求項１２】
請求項１１に記載の連結器において、前記第１の受け入れ部と前記ベースとが一体型であることを特徴とする連結器。
【請求項１３】
連結器において、
開口を形成する第１の端部および第２の端部を含むベースと、
前記第２の端部にスライド可能に機能的に連結されたシャフトを有し、前記開口にまたがるように構成かつ配置されたゲートと、
係合位置および解放位置を有し、当該係合位置および解放位置の間を前記ゲートに対して垂直方向に移動するように構成かつ配置されたロック部材であって、当該ロック部材はベース部およびフランジ付き部を含み、前記ベース部は前記フランジ付き部よりも直径が小さく、前記フランジ付き部は、前記ゲートのシャフトを前記係合位置で係合するとともに、前記ゲートを前記ベースに対して固定するように構成かつ配置されており、前記ベース部は、前記解放位置で前記ゲートのシャフトの近くに配置され、前記ベース部の直径が小さいことにより、前記ゲートが前記ベースに対して移動可能となるロック部材と、
を含むことを特徴とする連結器。
【請求項１４】
請求項１３に記載の連結器において、前記ロック部材がさらに、付勢部材と、係合部材と、留め具とを含み、当該留め具が、前記付勢部材および係合部材を前記ロック部材に機能的に連結し、前記付勢部材が、前記係合部材を前記係合位置に付勢し、前記係合部材が第１のフランジ付き部を含むことを特徴とする連結器。
【請求項１５】
請求項１３に記載の連結器において、前記第１の端部の第１の受け入れ部穴と、前記第２の端部の第２の受け入れ部穴と、第１の開孔を有する第１のリング部を含む第１の拡張部と、第２の開孔を有する第２のリング部を含む第２の拡張部とをさらに含み、前記第１および第２の開孔は、前記第１および第２の受け入れ部穴と一列に整列することを特徴とする連結器。
【請求項１６】
請求項１５に記載の連結器において、第１の開口が、前記第１の拡張部および前記第２の拡張部によって形成され、第２の開口が、前記第１の受け入れ部および前記第１の拡張部によって形成され、第３の開口が、前記第２の拡張部および前記第２の受け入れ部によって形成されることを特徴とする連結器。
【請求項１７】
連結器において、
バー部、第１の受け入れ部、第１のロック部、第１のロック機構、第２の受け入れ部、第２のロック部、および第２のロック機構を含むベースであって、前記第１および第２のロック機構のそれぞれが係合位置および解放位置を有し、第１および第２の付勢部材が、前記第１および第２のロック機構をそれぞれ前記係合位置に付勢し、前記第１の受け入れ部は、前記バー部の第１の端部に機能的に連結されるとともに第１の受け入れ部穴を含み、前記第１のロック部は、前記第１の受け入れ部に機能的に連結されるとともに前記第１の受け入れ部穴と流体連通した第１のロック部穴を含み、前記第１のロック機構は、前記第１のロック部穴内に配置されるとともに前記係合位置で前記第１の受け入れ部穴内に少なくとも部分的に延びる第１のフランジ付き部を有しており、前記第２の受け入れ部は、前記バー部の第２の端部に機能的に連結されるとともに第２の受け入れ部穴を含み、前記第２のロック部は、前記第２の受け入れ部に機能的に連結されるとともに前記第２の受け入れ部穴と流体連通した第２のロック部穴を含み、前記第２のロック機構は、前記第２のロック部穴内に配置されるとともに前記係合位置で前記第２の受け入れ部穴内に少なくとも部分的に延びる第２のフランジ付き部を有しており、第１の開口が、前記第１の受け入れ部および前記第２の受け入れ部によって形成され、前記第１の受け入れ部穴は、前記第２の受け入れ部穴と一列に整列し、前記第１および第２のロック機構はそれぞれ、係合位置および解放位置を有し、前記第１および第２のフランジ付き部は、前記係合位置および解放位置の間を移動するときに、それぞれ第１および第２のロック部穴内を縦方向に移動するように構成かつ配置されている、ベースと、
ヘッドおよびシャフトを含むゲートであって、前記ヘッドは、前記シャフトの一端に機能的に連結され、前記シャフトは、前記ヘッドとは反対側に遠位端を含み、前記シャフトは、前記遠位端に近い第１の係合部と、前記ヘッドに近い第２の係合部とを含む、ゲートと、を具え、
前記第１および第２の受け入れ部穴は、前記シャフトを受け入れるように構成かつ配置され、前記第１のフランジ付き部は、前記係合位置で前記第１の係合部と係合するように構成かつ配置され、前記第２のフランジ付き部は、前記係合位置で前記第２の係合部と係合するように構成かつ配置され、前記第１および第２のロック機構が共に前記解放位置に配置されて、前記ゲートを前記ベースに対して移動させることを特徴とする連結器。
【請求項１８】
請求項１７に記載の連結器において、
前記シャフトの一部に沿って長手方向に延びるスロットと、
前記第２の受け入れ部の横穴と、
前記横穴を貫通して前記スロットに入る保持ピンであって、前記ゲートが前記ベースから完全に取り外されるのを防止するストッパとして機能する保持ピンと、
をさらに含むことを特徴とする連結器。
【請求項１９】
請求項１７に記載の連結器において、前記第１のロック部穴は、前記第１の受け入れ部穴に対して垂直であり、前記第２のロック部穴は、前記第２の受け入れ部穴に対して垂直であることを特徴とする連結器。
【請求項２０】
請求項１７に記載の連結器において、前記第１および第２のロック機構がそれぞれ、付勢部材、係合部材、および止め具を含み、当該止め具は、それぞれ前記付勢部材および係合部材を前記ロック部に機能的に連結し、前記付勢部材は、前記係合部材を前記係合位置に付勢し、前記係合部材は、それぞれ前記フランジ付き部を含むことを特徴とする連結器。
【請求項２１】
請求項１７に記載の連結器において、第１の開孔を有する第１のリング部を含む第１の拡張部と、第２の開孔を有する第２のリング部を含む第２の拡張部とをさらに含み、前記第１および第２の開孔は、前記第１および第２の受け入れ部穴と一列に整列することを特徴とする連結器。
【請求項２２】
請求項２１に記載の連結器において、第１の開口が、前記第１の拡張部および前記第２の拡張部によって形成され、第２の開口が、前記第１の受け入れ部および前記第１の拡張部によって形成され、第３の開口が、前記第２の拡張部および前記第２の受け入れ部によって形成されることを特徴とする連結器。
【請求項２３】
請求項２２に記載の連結器において、前記バー部が、安全ハーネスに機能的に連結されるように構成かつ配置され、前記ゲートが、前記第１の開口の近くの安全装置に機能的に連結されるように構成かつ配置されていることを特徴とする連結器。
【請求項２４】
請求項２２に記載の連結器において、前記バー部が、安全ハーネスに機能的に連結されるように構成かつ配置され、前記ゲートが、前記第２の開口の近くの第１の安全装置に機能的に連結されるように構成かつ配置され、前記ゲートが、前記第３の開口の近くの第２の安全装置に機能的に連結されるように構成かつ配置されていることを特徴とする連結器。
【請求項２５】
請求項１７に記載の連結器において、前記シャフトの前記遠位端の近くのノッチと、前記ノッチおよび前記第１の係合部を相互連結する傾斜部とをさらに含み、前記ノッチおよび前記傾斜部は、前記シャフトの遠位端がスライドして前記第１のロック機構を通り過ぎる助けとなることを特徴とする連結器。
【請求項２６】
請求項１３に記載の連結器において、前記ロック部材が、第１のロック部材および第２のロック部材を含み、前記第１のロック部材は前記第１の端部の近くにあり、前記第２のロック部材は前記第２の端部の近くにあり、第１のロック機構および第２のロック機構が共に前記解放位置に配置されて、前記ゲートを前記ベースに対して移動させることを特徴とする連結器。
【請求項２７】
請求項１３に記載の連結器において、前記ゲートが、前記ベースに対して第１の方向に移動するように構成かつ配置され、前記ロック部材が第２の方向に移動するように構成かつ配置され、前記第２の方向が前記第１の方向に対して垂直であることを特徴とする連結器。